【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
撮像および録音の少なくともいずれかを行うデータ記憶装置であって、
所定のトリガー信号を外部装置に送信するトリガー信号送信部と、
前記撮像および録音の少なくともいずれかを行うよう制御する記憶制御部と、
前記トリガー信号を送信したタイミングで前記撮像および録音の少なくともいずれかにより取得した記憶データに、マーキングを行うマーキング部と、
を備える、データ記録装置。
【請求項２】
前記トリガー信号は、前記外部装置が撮像および録音の少なくともいずれかにより取得した記憶データに対してマーキングするよう前記外部装置に指示するためのものである、請求項１に記載のデータ記憶装置。
【請求項３】
前記記憶制御部は、前記撮像および録音の少なくともいずれかを連続的に行うよう制御し、
前記トリガー信号送信部は、前記撮像および録音の少なくともいずれかが連続的に行われている場合、定期的または不定期的に、前記外部装置に前記トリガー信号を送信する、請求項１または２に記載のデータ記憶装置。
【請求項４】
前記データ記憶装置は、
前記撮像および録音の少なくともいずれかによる記憶データの取得をユーザが任意に指示するための指示部を備え、
前記記憶制御部は、前記指示部による指示に応じて、前記撮像および録音の少なくともいずれかを行うよう制御し、
前記トリガー信号送信部は、前記指示部が操作されたタイミングで、前記トリガー信号を送信する、請求項１〜３のいずれか１項に記載のデータ記憶装置。
【請求項５】
前記指示部は、シャッターボタンまたは録音開始ボタンである、請求項４に記載のデータ記憶装置。
【請求項６】
前記データ記憶装置は、ユーザに装着され得るウェアラブル装置である、請求項１〜５のいずれか１項に記載のデータ記憶装置。
【請求項７】
前記外部装置は、前記ユーザの周囲に配されている外部機器、または他のユーザに装着されているウェアラブル装置である、請求項６に記載のデータ記憶装置。
【請求項８】
前記データ記憶装置は、屋外または屋内において、ユーザの周囲に配される外部機器である、請求項１〜４のいずれか１項に記載のデータ記憶装置。
【請求項９】
前記外部装置は、前記ユーザの周囲に配される他の外部機器、または前記ユーザに装着され得るウェアラブル装置である、請求項８に記載のデータ記憶装置。
【請求項１０】
前記データ記憶装置は、
特定コマンドを検出する検出部を備え、
前記記憶制御部は、前記検出部により検出された特定コマンドに応じで、前記撮像および録音の少なくともいずれかを行うよう制御し、
前記トリガー信号送信部は、前記検出部により前記特定コマンドが検出された場合、前記トリガー信号を前記外部装置に送信する、請求項１〜９のいずれか１項に記載のデータ記憶装置。
【請求項１１】
前記検出部は、撮像および録音の少なくともいずれかにより取得した記憶データに基づいて、前記特定コマンドを検出する、請求項１０に記載のデータ記憶装置。
【請求項１２】
前記特定コマンドは、撮像または録音を指示するコマンド、または緊急事態を示すコマンドである、請求項１０または１１に記載のデータ記憶装置。
【請求項１３】
前記検出部は、さらに撮像および録音の少なくともいずれかを行うための付加情報を生成する、請求項１０〜１２のいずれか１項に記載のデータ記憶装置。
【請求項１４】
前記付加情報とは、前記特定コマンドに応じた前記撮像および録音の少なくともいずれかによるデータ取得の方向を示す情報である、請求項１３に記載のデータ記憶装置。
【請求項１５】
前記マーキング部は、時刻情報によりマーキングを行う、請求項１〜１４のいずれか１項に記載のデータ記憶装置。
【請求項１６】
前記データ記憶装置は、
前記データ記憶装置が撮像および録音の少なくともいずれかにより取得した第１の記憶データと、当該第１の記憶データのマーキングと一致するマーキングがされた、前記外部装置が撮像および録音の少なくともいずれかにより取得した第２の記憶データとに基づいて、出力データを生成するデータ生成部と、
前記データ生成部により生成された出力データを再生する再生部と、
を備える、請求項１〜１５のいずれか１項に記載のデータ記憶装置。
【請求項１７】
コンピュータを、
所定のトリガー信号を外部装置に送信するトリガー信号送信部と、
撮像および録音の少なくともいずれかを行うよう制御する記憶制御部と、
前記トリガー信号を送信したタイミングで前記撮像および録音の少なくともいずれかにより取得した記憶データに、マーキングを行うマーキング部、
として機能させるための、プログラム。
【手続補正２】
【補正対象書類名】明細書
【補正対象項目名】００１７
【補正方法】変更
【補正の内容】
【００１７】
また、説明は以下の順序で行うものとする。
１．本開示の一実施形態による記憶システムの概要
２．基本構成
２−１．システム構成
２−２．データ記憶装置
２−３．外部機器
３．動作処理
４．画像生成
５．変形例
５−１．第１の変形例
５−２．第２の変形例
５−３．第３の変形例
６．まとめ
【手続補正３】
【補正対象書類名】明細書
【補正対象項目名】０１０３
【補正方法】変更
【補正の内容】
【０１０３】
次いで、撮影／録音の頻度変更要求でなかった場合（Ｓ３１２／Ｎｏ）、ステップＳ３１８において、ＣＰＵ２１は、撮影／録音停止要求であるか否かを判断する。
【手続補正４】
【補正対象書類名】明細書
【補正対象項目名】０１０４
【補正方法】変更
【補正の内容】
【０１０４】
次に、撮影／録音停止要求であった場合（Ｓ３１８／Ｙｅｓ）、ステップＳ３２１において、ＣＰＵ２１は、撮影／録音を停止する。例えば、外部機器２がトリガー信号を受信してから所定頻度で継続的に撮影／録音を行い続けている場合、この撮影／録音を、データ記憶装置１からの要求に応じて停止する。より具体的には、外部機器２が結婚式場やコンサート会場等のイベント会場に複数配置されている場合、外部機器２は、ユーザに装着されたデータ記憶装置１からトリガー信号を受信してから、所定頻度で継続的に撮影／録音を行い続けるよう設定されることが想定される。
【手続補正５】
【補正対象書類名】明細書
【補正対象項目名】０１０５
【補正方法】変更
【補正の内容】
【０１０５】
次いで、撮影／録音停止要求でなかった場合（Ｓ３１８／Ｎｏ）、ステップＳ３２４において、ＣＰＵ２１は、その他要求された制御処理を行う。
【手続補正６】
【補正対象書類名】明細書
【補正対象項目名】０１３０
【補正方法】変更
【補正の内容】
【０１３０】
また、データ記憶装置１Ａからトリガー信号を受信した他のデータ記憶装置１Ｂ、および外部機器２Ａ、２Ｂは、撮影／録音制御を行う。データ記憶装置１Ｂ、および外部機器２Ａ、２Ｂは、撮影／録音したデータをデータ記憶装置１Ａに返送してもよいし、撮影／録音したデータにマーキングを行って保持してもよい。また、データ記憶装置１Ｂ、および外部機器２Ａ、２Ｂは、撮影／録音したデータにマーキングを行った上で、図１１に示すような記憶装置４にネットワーク３を介して送信してもよい。
【手続補正７】
【補正対象書類名】明細書
【補正対象項目名】０１３８
【補正方法】変更
【補正の内容】
【０１３８】
なお、本技術は以下のような構成も取ることができる。
（１）
撮像および録音の少なくともいずれかを行うデータ記憶装置であって、
所定のトリガー信号を外部装置に送信するトリガー信号送信部と、
前記撮像および録音の少なくともいずれかを行うよう制御する記憶制御部と、
前記トリガー信号を送信したタイミングで前記撮像および録音の少なくともいずれかにより取得した記憶データに、マーキングを行うマーキング部と、
を備える、データ記録装置。
（２）
前記トリガー信号は、前記外部装置が撮像および録音の少なくともいずれかにより取得した記憶データに対してマーキングするよう前記外部装置に指示するためのものである、前記（１）に記載のデータ記憶装置。
（３）
前記記憶制御部は、前記撮像および録音の少なくともいずれかを連続的に行うよう制御し、
前記トリガー信号送信部は、前記撮像および録音の少なくともいずれかが連続的に行われている場合、定期的または不定期的に、前記外部装置に前記トリガー信号を送信する、前記（１）または（２）に記載のデータ記憶装置。
（４）
前記データ記憶装置は、
前記撮像および録音の少なくともいずれかによる記憶データの取得をユーザが任意に指示するための指示部を備え、
前記記憶制御部は、前記指示部による指示に応じて、前記撮像および録音の少なくともいずれかを行うよう制御し、
前記トリガー信号送信部は、前記指示部が操作されたタイミングで、前記トリガー信号を送信する、前記（１）から（３）のいずれか１項に記載のデータ記憶装置。
（５）
前記指示部は、シャッターボタンまたは録音開始ボタンである、前記（４）に記載のデータ記憶装置。
（６）
前記データ記憶装置は、ユーザに装着され得るウェアラブル装置である、前記（１）〜（５）のいずれか１項に記載のデータ記憶装置。
（７）
前記外部装置は、前記ユーザの周囲に配されている外部機器、または他のユーザに装着されているウェアラブル装置である、前記（６）に記載のデータ記憶装置。
（８）
前記データ記憶装置は、屋外または屋内において、ユーザの周囲に配される外部機器である、前記（１）〜（４）のいずれか１項に記載のデータ記憶装置。
（９）
前記外部装置は、前記ユーザの周囲に配される他の外部機器、または前記ユーザに装着され得るウェアラブル装置である、前記（８）に記載のデータ記憶装置。
（１０）
前記データ記憶装置は、
特定コマンドを検出する検出部を備え、
前記記憶制御部は、前記検出部により検出された特定コマンドに応じで、前記撮像および録音の少なくともいずれかを行うよう制御し、
前記トリガー信号送信部は、前記検出部により前記特定コマンドが検出された場合、前記トリガー信号を前記外部装置に送信する、前記（１）〜（９）のいずれか１項に記載のデータ記憶装置。
（１１）
前記検出部は、撮像および録音の少なくともいずれかにより取得した記憶データに基づいて、前記特定コマンドを検出する、前記（１０）に記載のデータ記憶装置。
（１２）
前記特定コマンドは、撮像または録音を指示するコマンド、または緊急事態を示すコマンドである、前記（１０）または（１１）に記載のデータ記憶装置。
（１３）
前記検出部は、さらに撮像および録音の少なくともいずれかを行うための付加情報を生成する、前記（１０）〜（１２）のいずれか１項に記載のデータ記憶装置。
（１４）
前記付加情報とは、前記特定コマンドに応じた前記撮像および録音の少なくともいずれかによるデータ取得の方向を示す情報である、前記（１３）に記載のデータ記憶装置。
（１５）
前記マーキング部は、時刻情報によりマーキングを行う、前記（１）〜（１４）のいずれか１項に記載のデータ記憶装置。
（１６）
前記データ記憶装置は、
前記データ記憶装置が撮像および録音の少なくともいずれかにより取得した第１の記憶データと、当該第１の記憶データのマーキングと一致するマーキングがされた、前記外部装置が撮像および録音の少なくともいずれかにより取得した第２の記憶データとに基づいて、出力データを生成するデータ生成部と、
前記データ生成部により生成された出力データを再生する再生部と、
を備える、前記（１）〜（１５）のいずれか１項に記載のデータ記憶装置。
（１７）
コンピュータを、
所定のトリガー信号を外部装置に送信するトリガー信号送信部と、
撮像および録音の少なくともいずれかを行うよう制御する記憶制御部と、
前記トリガー信号を送信したタイミングで前記撮像および録音の少なくともいずれかにより取得した記憶データに、マーキングを行うマーキング部、
として機能させるための、プログラム。